(57)【特許請求の範囲】
【請求項１】
常時接続のネットワークにおけるベアラを再接続するための再接続トリガーを検知するトリガー検知部と、
前記トリガー検知部により前記再接続トリガーが検知されたベアラの再接続処理を行う再接続タイミングを決定する再接続タイミング決定部と、
前記再接続タイミング決定部により決定された前記再接続タイミングに基づいて、前記再接続トリガーが検知されたベアラの再接続処理を行うように再接続指示を出力する再接続指示部と、
前記再接続指示部から出力された前記再接続指示に基づいて、前記再接続トリガーが検知されたベアラの再接続処理を行う通信処理制御部と
を備え、
前記再接続タイミング決定部は、
前記再接続トリガーが検知されたベアラが、再接続処理を行う必要のあるサービスに用いられているか否かを判定するサービス判定部を備え、
前記再接続タイミング決定部は、前記再接続トリガーが検知されたベアラのうち、前記サービス判定部により再接続処理を行う必要のあるサービスに用いられていると判定されたベアラの再接続タイミングを決定することを特徴とするネットワーク再接続システム。
【請求項２】
前記トリガー検知部は、
前記ベアラにおいて発信処理が行われたことを、前記再接続トリガーとして検知することを特徴とする請求項１に記載されたネットワーク再接続システム。
【請求項３】
前記トリガー検知部は、
前記ベアラにおいて現在の移動機のエリアのゲートウエイ装置とは別のエリアのゲートウエイ装置が選択されたことを、前記再接続トリガーとして検知することを特徴とする請求項１に記載されたネットワーク再接続システム。
【請求項４】
前記再接続タイミング決定部は、
前記トリガー検知部により前記トリガーが検知された直後を、前記再接続タイミングとすることを特徴とする請求項２または３に記載されたネットワーク再接続システム。
【請求項５】
前記再接続タイミング決定部は、
計時するタイマー部を備え、
前記トリガー検知部により前記トリガーが検知された後、前記タイマー部により計時された時間が所定の時間を経過した直後を、前記再接続タイミングとすることを特徴とする請求項２または３に記載されたネットワーク再接続システム。
【請求項６】
前記再接続タイミング決定部は、
前記再接続トリガーが検知されたベアラの通信状態が無通信状態であるか否かを監視する無通信監視部と、
計時するタイマー部と、
を備え、
前記タイマー部は、
前記無通信監視部により前記再接続トリガーが検知されたベアラの通信状態が無通信状態であることが判断された後、前記再接続トリガーが検知されたベアラの通信状態が無通信状態である無通信状態時間を計時し、
前記再接続タイミング決定部は、
前記タイマー部により計時された前記無通信状態時間が、所定の時間を経過した直後を、前記再接続タイミングとすることを特徴とする請求項２または３に記載されたネットワーク再接続システム。
【請求項７】
常時接続のネットワークにおけるベアラを再接続するための再接続トリガーを検知するトリガー検知部と、
前記トリガー検知部により前記再接続トリガーが検知されたベアラの再接続処理を行う再接続タイミングを決定する再接続タイミング決定部と、
前記再接続タイミング決定部により決定された前記再接続タイミングに基づいて、前記再接続トリガーが検知されたベアラの再接続処理を行うように再接続指示を出力する再接続指示部と、
前記再接続指示部から出力された前記再接続指示に基づいて、前記再接続トリガーが検知されたベアラの再接続処理を行う通信処理制御部と
を備え、
前記トリガー検知部は、
前記ベアラにおいて発信処理が行われたことを、前記再接続トリガーとして検知し、
前記再接続タイミング決定部は、
前記再接続トリガーが検知されたベアラの通信状態が無通信状態であるか否かを監視する無通信監視部を備え、
前記無通信監視部は、
Ｐｒｅｓｅｒｖａｔｉｏｎ制御手順に基づいて移動機がＰｒｅｓｅｒｖａｔｉｏｎ状態に遷移したとき、前記再接続トリガーが検知されたベアラの通信状態が無通信状態であると判断することを特徴とするネットワーク再接続システム。
【請求項８】
常時接続のネットワークにおけるベアラを再接続するための再接続トリガーを検知するトリガー検知部と、
前記トリガー検知部により前記再接続トリガーが検知されたベアラの再接続処理を行う再接続タイミングを決定する再接続タイミング決定部と、
前記再接続タイミング決定部により決定された前記再接続タイミングに基づいて、前記再接続トリガーが検知されたベアラの再接続処理を行うように再接続指示を出力する再接続指示部と、
前記再接続指示部から出力された前記再接続指示に基づいて、前記再接続トリガーが検知されたベアラの再接続処理を行う通信処理制御部と
を備え、
前記トリガー検知部は、
前記ベアラにおいて現在の移動機のエリアのゲートウエイ装置とは別のエリアのゲートウエイ装置が選択されたことを、前記再接続トリガーとして検知し、
前記再接続タイミング決定部は、
前記再接続トリガーが検知されたベアラの通信状態が無通信状態であるか否かを監視する無通信監視部を備え、
前記無通信監視部は、
Ｐｒｅｓｅｒｖａｔｉｏｎ制御手順に基づいて移動機がＰｒｅｓｅｒｖａｔｉｏｎ状態に遷移したとき、前記再接続トリガーが検知されたベアラの通信状態が無通信状態であると判断することを特徴とするネットワーク再接続システム。
【請求項９】
前記再接続タイミング決定部は、
前記再接続トリガーが検知されたベアラが、再接続処理を行う必要のあるサービスに用いられているか否かを判定するサービス判定部を備え、
前記再接続タイミング決定部は、前記再接続トリガーが検知されたベアラのうち、前記サービス判定部により再接続処理を行う必要のあるサービスに用いられていると判定されたベアラの再接続タイミングを決定することを特徴とする請求項７または８に記載されたネットワーク再接続システム。
【発明の詳細な説明】
【技術分野】
【０００１】
本発明は、ネットワーク再接続システムに関し、特に常時接続である携帯電話サービスにおけるベアラを再接続するネットワーク再接続システムに関する。
【背景技術】
【０００２】
携帯電話サービスは、現在では生活に欠かすことのできないものであるが、現在の第３世代の携帯電話サービスでは、インターネット接続などの各種のサービスが提供されている。例えば、ドラマなどの動画の番組コンテンツを楽しんだりすることもできる。携帯電話サービスは、さらに大容量通信のサービスの提供が可能なＬＴＥ（Ｌｏｎｇ  Ｔｅｒｍ  Ｅｖｏｌｕｔｉｏｎ）の次世代サービスに進化しつつある。
【０００３】
さて、図２６に示すように、非特許文献１に記載されているような現在の携帯電話サービスのネットワーク１００では、ユーザーが所持している移動機（ＵＥ）１０１と、コンテンツ等を提供するサービス提供装置１０２とが、第１のゲートウエイ装置であるＳ−ＧＷ（Ｓｅｒｖｉｎｇ  Ｇａｔｅｗａｙ）１０１と第２のゲートウエイ装置であるＰ−ＧＷ（Ｐａｃｋｅｔ  Ｄａｔａ  Ｎｅｔｗｏｒｋ  Ｇａｔｅｗａｙ）１０２とを介して接続されている。従って、ＵＥ１０１とサービス提供装置１０２との間で接続を確立するためには、ＵＥ１０１とＳ−ＧＷ１０３との間のインターフェイス処理Ｓ１、Ｓ−ＧＷ１０３とＰ−ＧＷ１０４との間のインターフェイス処理Ｓ５、Ｐ−ＧＷ１０４とサービス提供装置１０２との間のインターフェイス処理ＳＧｉを行う必要がある。
【０００４】
しかしながら、次世代サービスのネットワーク２００では、Ｓ−ＧＷ１０３とＰ−ＧＷ１０４とが同一筐体に収容されている。このため、ＵＥ１０１とサービス提供装置１０２との間で接続を確立する際に、Ｓ−ＧＷ１０３とＰ−ＧＷ１０４との間のインターフェイス処理Ｓ５を行う必要がない。
【先行技術文献】
【非特許文献】
【０００５】
【非特許文献１】３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）  ＴＳ  ２３．４０１  Ｖ１０.３．０
【発明の概要】
【発明が解決しようとする課題】
【０００６】
ところが、常時接続を前提としている次世代のサービスのネットワークにおいて、ＵＥ１０１が現在のエリアから別のエリアに移動すると、Ｓ−ＧＷ１０３に代わって移動先のエリアのＳ−ＧＷが選択されるが、Ｐ−ＧＷ１０４は電源が投入されたときのエリアのＰ−ＧＷ１０４が選択されたままの状態になっていることがある。
【０００７】
例えば、図２７に示すように、ＵＥ１０１Ａを有するＡさんが空港に到着し、その空港があるエリアＡでＵＥ１０１Ａの電源を入れたときに、Ｓ−ＧＷ１０３とＰ−ＧＷ１０４とを経由して、ＵＥ１０１Ａとサービス提供装置１０２とが接続される。ところが、Ａさんが勤めるオフィスに帰着したときに、オフィスがあるエリアＢのＳ−ＧＷ１０６が選択される。しかしながら、エリアＢのＰ−ＧＷ１０７が選択されずに、電源が投入されたときのエリアＡのＰ−ＧＷ１０４が選択されたままの状態である。
【０００８】
同様に、図２８に示すように、ＵＥ１０１Ｂを有するＢさん、ＵＥ１０１Ｃを有するＣさんが空港に到着し、その空港があるエリアＡでＵＥ１０１Ｂ，ＵＥ１０１Ｃの電源を入れたときに、空港があるエリアＡのＳ−ＧＷ１０３とＰ−ＧＷ１０４とが選択される。ところが、ＢさんやＣさんが勤めるオフィスに帰着したときに、オフィスがあるエリアＢのＳ−ＧＷ１０６が選択されるが、電源が投入されたときのエリアＡのＰ−ＧＷ１０４が選択されたままの状態である。
【０００９】
常時接続を前提としているＬＴＥ等のネットワークにおいては、論理的なパケット伝送経路であるベアラを再接続するトリガーがない。このため、ＵＥが異なるエリアに移動すると、Ｓ−ＧＷは移動先のエリアのＳ−ＧＷが選択されるが、Ｐ−ＧＷは電源が投入されたときのエリアのＰ−ＧＷが選択されたままの状態である。すると、Ｓ−ＧＷ１０３とＰ−ＧＷ１０４との間のインターフェイス処理Ｓ５を行わなければならず、この処理を行うことによってネットワーク２００の各Ｓ−ＧＷやＰ−ＧＷ、この他にもネットワーク２００の中継用スイッチング装置、中継用ルーター等のネットワーク機器、さらに、各装置が収容されている局舎間の伝送路等のトラヒック量が増大してしまうことがあった。
【００１０】
このような状態は、上記の空港とオフィスとの間をユーザーが移動した場合だけで起こるものはない。例えば、オフィスと自宅との間をユーザーが移動した場合にも起こるし、東京と大阪との大都市圏の間をユーザーが移動した場合にも起こるものである。
上記で説明したように、接続（発信）を行う際に、公知の技術によってリソースの利用効率が最も良いネットワークトポロジを選択しているが、ユーザーのモビリティ等によって接続構成が非効率なネットワークトポロジでの接続構成になってしまうことがある。
そこで、本発明は、上記の課題に鑑み、ユーザーのモビリティ等によって接続構成が非効率的なネットワークトポロジでの接続構成になった際に、効率的なトポロジでの接続構成を再構築することのできるネットワーク再接続システムを提供することを目的とする。
【課題を解決するための手段】
【００１１】
本発明によるネットワーク再接続システムは、上記の目的を達成するために、次のように構成される。
本発明による第１のネットワーク再接続システムは、常時接続のネットワークにおけるベアラを再接続するための再接続トリガーを検知するトリガー検知部と、前記トリガー検知部により前記再接続トリガーが検知されたベアラの再接続処理を行う再接続タイミングを決定する再接続タイミング決定部と、前記再接続タイミング決定部により決定された前記再接続タイミングに基づいて、前記再接続トリガーが検知されたベアラの再接続処理を行うように再接続指示を出力する再接続指示部と、前記再接続指示部から出力された前記再接続指示に基づいて、前記再接続トリガーが検知されたベアラの再接続処理を行う通信処理制御部とを備え、前記再接続タイミング決定部は、前記再接続トリガーが検知されたベアラが、再接続処理を行う必要のあるサービスに用いられているか否かを判定するサービス判定部を備え、前記再接続タイミング決定部は、前記再接続トリガーが検知されたベアラのうち、前記サービス判定部により再接続処理を行う必要のあるサービスに用いられていると判定されたベアラの再接続タイミングを決定することを特徴とする。
【００１２】
上記の第１のネットワーク再接続システムによれば、トリガー検知部が、常時接続のネットワークのベアラを再接続するためのトリガーを検知する。そして、再接続タイミング決定部は、トリガー検知部によりトリガーが検知された再接続を必要とするサービスに用いられているベアラを再接続する再接続タイミングを決定する。再接続指示部は、再接続タイミングに基づいて、再接続を必要とするサービスに用いられているベアラを再接続する。常時接続のネットワークにおいては、移動機が異なるエリアに移動した際に、２つのエリアにまたいで、ゲートウエイ装置（Ｐ−ＧＷおよびＳ−ＧＷ）が選択されたままの状態になってしまうことがあった。そこで、再接続指示部が、再接続を必要とするサービスに用いられているベアラを再接続する（ベアラを切断後に再び接続する）。ベアラを切断することにより、移動前のエリアのゲートウエイ装置が使われなくなり、その直後にベアラを接続することにより、現在のエリアのゲートウエイ装置が新たに選択される。つまり、第１のネットワーク再接続システムによれば、移動機が異なるエリアに移動しても、２つのエリアにまたいで、ゲートウエイ装置が選択されたままの状態になってしまうことを無くして、現在のエリアのゲートウエイ装置を選択する。このようにして、ユーザーのモビリティ等によって接続構成が非効率的なネットワークトポロジでの接続構成になった際に、再接続を促すことによって、効率的なトポロジでの接続構成を再構築することが可能となる。
また、上記の第１のネットワーク再接続システムによれば、サービス判定部が、ベアラが再接続を必要とするサービスに用いられているか否かを判定する。これにより、再接続タイミング決定部が、再接続を必要とするサービスに用いられているベアラの再接続タイミングを決定する際に、サービス毎に再接続タイミングを決定する。そして、特定のサービスのベアラだけを再接続することが可能となる。
【００１３】
本発明による第２のネットワーク再接続システムは、前記トリガー検知部は、前記ベアラにおいて発信処理が行われたことを、前記再接続トリガーとして検知することを特徴とする。
上記の第２のネットワーク再接続システムによれば、トリガー検知部が、ネットワークで発信処理が行われたことを、ベアラの再接続処理のトリガーとして検知する。これにより、ユーザーの移動機から発信が行われ、その発信処理の後に、ベアラを再接続することが可能となる。
【００１４】
本発明による第３のネットワーク再接続システムは、前記トリガー検知部は、前記ベアラにおいて現在の移動機のエリアのゲートウエイ装置とは別のエリアのゲートウエイ装置が選択されたことを、前記再接続トリガーとして検知することを特徴とする。
上記の第３のネットワーク再接続システムによれば、トリガー検知部が、ネットワークで別のゲートウエイ装置（Ｓ−ＧＷ）が選択されたことを、ベアラの再接続処理のトリガーとして検知する。これにより、ネットワークで発信処理が行われ、さらにその後、ユーザーが実際に別のエリアに移動して、別のゲートウエイ装置（Ｓ−ＧＷ）が選択されたときに、ベアラを再接続することが可能となる。
【００１５】
本発明による第４のネットワーク再接続システムは、前記再接続タイミング決定部は、前記トリガー検知部により前記トリガーが検知された直後を、前記再接続タイミングとすることを特徴とする。
上記の第４のネットワーク再接続システムによれば、再接続タイミング決定部は、再接続タイミングを上記で説明したトリガーが検知された直後を、再接続タイミングとする。そして、この接続タイミングのときに、ベアラを再接続することが可能になる。
【００１６】
本発明による第５のネットワーク再接続システムは、前記再接続タイミング決定部は、計時するタイマー部を備え、前記トリガー検知部により前記トリガーが検知された後、前記タイマー部により計時された時間が所定の時間を経過した直後を、前記再接続タイミングとすることを特徴とする。
上記の第５のネットワーク再接続システムによれば、再接続タイミング決定部は、上記で説明したトリガーが検知され、さらに、タイマー部により計時された時間が所定の時間を経過した直後を、再接続タイミングとする。そして、この接続タイミングのときに、ベアラを再接続することが可能になる。
【００１７】
本発明による第６のネットワーク再接続システムは、前記再接続タイミング決定部は、前記再接続トリガーが検知されたベアラの通信状態が無通信状態であるか否かを監視する無通信監視部と、計時するタイマー部と、を備え、前記タイマー部は、前記無通信監視部により前記再接続トリガーが検知されたベアラの通信状態が無通信状態であることが判断された後、前記再接続トリガーが検知されたベアラの通信状態が無通信状態である無通信状態時間を計時し、前記再接続タイミング決定部は、前記タイマー部により計時された前記無通信状態時間が、所定の時間を経過した直後を、前記再接続タイミングとすることを特徴とする。
【００１８】
上記の第６のネットワーク再接続システムによれば、再接続タイミング決定部は、無通信監視部により再接続を必要とするサービスに用いられているベアラが一定時間だけ無通信状態であることが判断された直後を、再接続タイミングとする。そして、この接続タイミングのときに、ベアラを再接続することが可能となる。
【００１９】
本発明による第７のネットワーク再接続システムは、常時接続のネットワークにおけるベアラを再接続するための再接続トリガーを検知するトリガー検知部と、前記トリガー検知部により前記再接続トリガーが検知されたベアラの再接続処理を行う再接続タイミングを決定する再接続タイミング決定部と、前記再接続タイミング決定部により決定された前記再接続タイミングに基づいて、前記再接続トリガーが検知されたベアラの再接続処理を行うように再接続指示を出力する再接続指示部と、前記再接続指示部から出力された前記再接続指示に基づいて、前記再接続トリガーが検知されたベアラの再接続処理を行う通信処理制御部とを備え、前記トリガー検知部は、前記ベアラにおいて発信処理が行われたことを、前記再接続トリガーとして検知し、前記再接続タイミング決定部は、前記再接続トリガーが検知されたベアラの通信状態が無通信状態であるか否かを監視する無通信監視部を備え、前記無通信監視部は、Ｐｒｅｓｅｒｖａｔｉｏｎ制御手順に基づいて移動機がＰｒｅｓｅｒｖａｔｉｏｎ状態に遷移したとき、前記再接続トリガーが検知されたベアラの通信状態が無通信状態であると判断することを特徴とする。
また、本発明による第８のネットワーク再接続システムは、常時接続のネットワークにおけるベアラを再接続するための再接続トリガーを検知するトリガー検知部と、前記トリガー検知部により前記再接続トリガーが検知されたベアラの再接続処理を行う再接続タイミングを決定する再接続タイミング決定部と、前記再接続タイミング決定部により決定された前記再接続タイミングに基づいて、前記再接続トリガーが検知されたベアラの再接続処理を行うように再接続指示を出力する再接続指示部と、前記再接続指示部から出力された前記再接続指示に基づいて、前記再接続トリガーが検知されたベアラの再接続処理を行う通信処理制御部とを備え、前記トリガー検知部は、前記ベアラにおいて現在の移動機のエリアのゲートウエイ装置とは別のエリアのゲートウエイ装置が選択されたことを、前記再接続トリガーとして検知し、前記再接続タイミング決定部は、前記再接続トリガーが検知されたベアラの通信状態が無通信状態であるか否かを監視する無通信監視部を備え、前記無通信監視部は、Ｐｒｅｓｅｒｖａｔｉｏｎ制御手順に基づいて移動機がＰｒｅｓｅｒｖａｔｉｏｎ状態に遷移したとき、前記再接続トリガーが検知されたベアラの通信状態が無通信状態であると判断することを特徴とする。
上記の第７及び８のネットワーク再接続システムによれば、無通信監視部が、Ｐｒｅｓｅｒｖａｔｉｏｎ制御手順に基づいて移動機がＰｒｅｓｅｒｖａｔｉｏｎ状態に遷移したとき、再接続を必要とするサービスに用いられているベアラが無通信状態であると判断する。これにより、無通信監視部が、直接ベアラの通信状態が無通信状態であることを監視することができないネットワークの構成装置に備えられている場合であっても、Ｐｒｅｓｅｒｖａｔｉｏｎ制御手順に基づいて、再接続を必要とするサービスに用いられているベアラが無通信状態であるか否かを判断することが可能となる。
【００２０】
本発明による第９のネットワーク再接続システムは、前記再接続トリガーが検知されたベアラが、再接続処理を行う必要のあるサービスに用いられているか否かを判定するサービス判定部を備え、前記再接続タイミング決定部は、前記再接続トリガーが検知されたベアラのうち、前記サービス判定部により再接続処理を行う必要のあるサービスに用いられていると判定されたベアラの再接続タイミングを決定することを特徴とする。
【００２１】
上記の第９のネットワーク再接続システムによれば、サービス判定部が、ベアラが再接続を必要とするサービスに用いられているか否かを判定する。これにより、再接続タイミング決定部が、再接続を必要とするサービスに用いられているベアラの再接続タイミングを決定する際に、サービス毎に再接続タイミングを決定する。そして、特定のサービスのベアラだけを再接続することが可能となる。
【発明の効果】
【００２２】
本発明によれば、常時接続のネットワークにおいて、ユーザーのモビリティ等によって、接続構成が非効率的なネットワークトポロジでの接続構成になった際に、再接続を促すことによって、効率的なトポロジでの接続構成を再構築する。このため、ＵＥが異なるエリアに移動した際に、ゲートウエイ装置（Ｓ−ＧＷおよびＰ−ＧＷ）の間のインターフェイス処理を行う必要がなくなる。
【００２３】
よって、上記のインターフェイス処理を行うことによるネットワークのトラヒック量が増大するのを抑え、ネットワークのリソースを有効に活用することができる。特に、ネットワークの各ゲートウエイ装置、この他にもネットワークの中継用スイッチング装置、中継用ルーター等のネットワーク機器、さらに、各装置が収容されている局舎間の伝送路のトラヒック量等を抑えることができる。また、ネットワークを構成するハードウェアやソフトウェアがライセンス製品であり、そのライセンス料が従量制である場合には、これらの費用を抑えることができる。
【図面の簡単な説明】
【００２４】
【図１】本発明のネットワーク再接続システムを用いて構成されたネットワーク１０の概略構成を示すブロック図である。
【図２】第１実施形態に係るネットワークのＭＭＥ１２において再接続処理のトリガーを検知後、ベアラを再接続する場合のＭＭＥ１２の機能構成を示すブロック図である。
【図３】第１実施形態に係るネットワークのＭＭＥ１２において発信処理を再接続処理のトリガーとして検知後、ベアラを再接続する場合のネットワーク１０を構成する各装置の動作の流れを示す第１のシーケンス図である。
【図４】第１実施形態に係るネットワークのＭＭＥ１２において発信処理を再接続処理のトリガーとして検知後、ベアラを再接続する場合のネットワーク１０を構成する各装置の動作の流れを示す第２のシーケンス図である。
【図５】第１実施形態に係るネットワークのＭＭＥ１２において発信処理を再接続処理のトリガーとして検知後、ベアラを再接続する場合のネットワーク１０を構成する各装置の動作の流れを示す第３のシーケンス図である。
【図６】第１実施形態に係るネットワークのＭＭＥ１２においてＳ−ＧＷ変更処理を再接続処理のトリガーとして検知後、ベアラを再接続する場合のネットワーク１０を構成する各装置の動作の流れを示すシーケンス図である。
【図７】第２実施形態に係るネットワークのＭＭＥ１２において再接続処理のトリガーを検知後、さらに無通信監視を実施後に、ベアラを再接続する場合のＭＭＥ１２の機能構成を示すブロック図である。
【図８】第２実施形態に係るネットワークのＭＭＥ１２において発信処理を再接続処理のトリガーとして検知後、さらに無通信監視を実施後に、ベアラを再接続する場合のネットワーク１０を構成する各装置の動作の流れを示すシーケンス図である。
【図９】第２実施形態に係るネットワークのＭＭＥ１２においてＳ−ＧＷ変更処理を再接続処理のトリガーとして検知後、さらに無通信監視を実施後に、ベアラを再接続する場合のネットワーク１０を構成する各装置の動作の流れを示すシーケンス図である。
【図１０】第３実施形態に係るネットワークのＰ−ＧＷ１０４において再接続処理のトリガーを検知後、ベアラを再接続する場合のＰ−ＧＷ１０４の機能構成を示すブロック図である。
【図１１】第３実施形態に係るネットワークのＰ−ＧＷ１０４において発信処理を再接続処理のトリガーとして検知後、ベアラを再接続する場合のネットワーク１０を構成する各装置の動作の流れを示すシーケンス図である。
【図１２】第３実施形態に係るネットワークのＰ−ＧＷ１０４においてＳ−ＧＷ変更処理を再接続処理のトリガーとして検知後、ベアラを再接続する場合のネットワーク１０を構成する各装置の動作の流れを示す第１のシーケンス図である。
【図１３】第３実施形態に係るネットワークのＰ−ＧＷ１０４においてＳ−ＧＷ変更処理を再接続処理のトリガーとして検知後、ベアラを再接続する場合のネットワーク１０を構成する各装置の動作の流れを示す第２のシーケンス図である。
【図１４】第４実施形態に係るネットワークのＰ−ＧＷ１０４において再接続処理のトリガーを検知後、さらに無通信監視を実施後に、ベアラを再接続する場合のＰ−ＧＷ１０４の機能構成を示すブロック図である。
【図１５】第４実施形態に係るネットワークのＰ−ＧＷ１０４において発信処理を再接続処理のトリガーとして検知後、さらに無通信監視を実施後に、ベアラを再接続する場合のネットワーク１０を構成する各装置の動作の流れを示すシーケンス図である。
【図１６】第４実施形態に係るネットワークのＰ−ＧＷ１０４においてＳ−ＧＷ変更処理を再接続処理のトリガーとして検知後、さらに無通信監視を実施後に、ベアラを再接続する場合のネットワーク１０を構成する各装置の動作の流れを示す第１のシーケンス図である。
【図１７】第４実施形態に係るネットワークのＰ−ＧＷ１０４においてＳ−ＧＷ変更処理を再接続処理のトリガーとして検知後、さらに無通信監視を実施後に、ベアラを再接続する場合のネットワーク１０を構成する各装置の動作の流れを示す第２のシーケンス図である。
【図１８】第５実施形態に係るネットワークのＰＣＲＦ１４において再接続処理のトリガーを検知後、ベアラを再接続する場合のＰＣＲＦ１４の機能構成を示すブロック図である。
【図１９】第５実施形態に係るネットワークのＰＣＲＦ１４において発信処理を再接続処理のトリガーとして検知後、ベアラを再接続する場合のネットワーク１０を構成する各装置の動作の流れを示すシーケンス図である。
【図２０】第５実施形態に係るネットワークのＰＣＲＦ１４においてＳ−ＧＷ変更処理を再接続処理のトリガーとして検知後、ベアラを再接続する場合のネットワーク１０を構成する各装置の動作の流れを示すシーケンス図である。
【図２１】第６実施形態に係るネットワークのＰＣＲＦ１４において再接続処理のトリガーを検知後、さらに無通信監視を実施後に、ベアラを再接続する場合のＰ−ＧＷ１０４の機能構成を示すブロック図である。
【図２２】第６実施形態に係るネットワークのＰＣＲＦ１４において発信処理を再接続処理のトリガーとして検知後、さらに無通信監視を実施後に、ベアラを再接続する場合のネットワーク１０を構成する各装置の動作の流れを示す第１のシーケンス図である。
【図２３】第６実施形態に係るネットワークのＰＣＲＦ１４において発信処理を再接続処理のトリガーとして検知後、さらに無通信監視を実施後に、ベアラを再接続する場合のネットワーク１０を構成する各装置の動作の流れを示す第２のシーケンス図である。
【図２４】第６実施形態に係るネットワークのＰＣＲＦ１４においてＳ−ＧＷ変更処理を再接続処理のトリガーとして検知後、さらに無通信監視を実施後に、ベアラを再接続する場合のネットワーク１０を構成する各装置の動作の流れを示す第１のシーケンス図である。
【図２５】第６実施形態に係るネットワークのＰＣＲＦ１４においてＳ−ＧＷ変更処理を再接続処理のトリガーとして検知後、さらに無通信監視を実施後に、ベアラを再接続する場合のネットワーク１０を構成する各装置の動作の流れを示す第２のシーケンス図である。
【図２６】従来の常時接続を前提としたネットワーク１００，２００の概略構成を示す模式図である。
【図２７】従来の常時接続を前提としたネットワーク２００において、選択されているＳ−ＧＷ１０３およびＰ−ＧＷ１０４を示す第１の模式図である。
【図２８】従来の常時接続を前提としたネットワーク２００において、選択されているＳ−ＧＷ１０３およびＰ−ＧＷ１０４を示す第２の模式図である。
【発明を実施するための形態】
【００２５】
以下、添付図面を参照しながら、本発明のネットワーク再接続システムを用いて構成されたネットワークの好適な実施形態を詳細に説明する。
（ネットワーク１０の構成）
まず、図１を参照して、本発明の実施形態に係るネットワーク１０の概略構成を説明する。
図１に示すネットワーク１０は、背景技術で説明した図２６を参照して説明したネットワーク１００を構成するサービス提供装置１０２と、Ｓ−ＧＷ１０３と、Ｐ−ＧＷ１０４とを備える。さらに、ネットワーク１０は、それらの装置以外の装置として、ｅＮＢ（ｅｖｏｌｕｔｉｏｎａｌ  Ｎｏｄｅ  Ｂ）１１と、ＭＭＥ（Ｍｏｂｉｌｉｔｙ  Ｍａｎａｇｅｍｅｎｔ  Ｅｎｔｉｔｙ）１２と、ＨＳＳ（Ｈｏｍｅ  Ｓｕｂｓｃｒｉｂｅｒ  Ｓｅｒｖｅｒ）１３と、ＰＣＲＦ（Ｐｏｌｉｃｙ  ａｎｄ  Ｃｈａｒｇｉｎｇ  Ｒｕｌｅ  Ｆｕｎｃｔｉｏｎ）１４とを備えて構成される。
【００２６】
ＵＥ１０１は、ユーザーが所持している携帯電話機やスマートフォン、データ通信カード等である。よって、ＵＥ１０１は、Ｓ−ＧＷ１０３やＰ−ＧＷ１０４、ＭＭＥ１２等のネットワーク１０を構成する各装置を介して、サービス提供装置１０２と接続される。
サービス提供装置１０２は、通信事業者のインターネット接続サービス等のサービスを提供するための制御を行う。また、ネットワーク１０に、サービス提供装置１０２に限らず、サービス提供装置１０２とは別のサービスを提供するサービス提供装置が設けられていても良い。
【００２７】
Ｓ−ＧＷ１０３およびＰ−ＧＷ１０４は、ゲートウエイ装置である。Ｓ−ＧＷ１０３は、主にパケットのルーティング制御を行う。また、Ｐ−ＧＷ１０４は、主にインターネットのような外部ネットワークへ接続するための制御を行う。
ｅＮＢ１１は、基地局であり、ユーザーが所持するＵＥ１０１とネットワーク１０とのインターフェイスである。
ＭＭＥ１２は、基地局を収容し、主にＵＥ１０１のモビリティー制御等を行う。
ＨＳＳ１３は、加入者情報を管理する。加入者情報は、例えば、ユーザーがＬＴＥの携帯電話サービスを契約しているか否かといった情報である。
ＰＣＲＦ１４は、サービスに応じた優先制御や課金制御等を行う。
【００２８】
上記の常時接続のネットワーク１０において、ＭＭＥ１２、Ｐ−ＧＷ１０４およびＰＣＲＦ１４のうちのいずれかの装置にて、ベアラを再接続することができる。
なお、上記で説明したｅＮＢ１１、ＭＭＥ１２、Ｓ−ＧＷ１０３およびＰ−ＧＷ１０４は、エリアＡに対応する装置である。そして、これらの装置に対応する装置として、ｅＮＢ１５、ＭＭＥ１６、Ｓ−ＧＷ１０６およびＰ−ＧＷ１０７がある。これらの装置は、背景技術で説明したように、エリアＡとは別のエリアであるエリアＢに対応する装置である。
【００２９】
また、上記の常時接続のベアラを再接続するにあたって、２通りの方法がある。まず、１つ目が、各装置が再接続処理のトリガーを検知した直後に、ベアラを再接続する方法である。また、２つ目が、各装置が再接続処理のトリガーを検知した後、ベアラの通信状態が無通信状態であるか否か無通信監視を実施した上でベアラを再接続する方法である。
さらに、再接続のトリガーには、２種類のトリガーがある。まず、１つ目が、各装置がＵＥ１０１からの発信処理が行われたときを再接続処理のトリガーとするものである。また、２つ目が、各装置と現在接続されているＳ−ＧＷとは別のＳ−ＧＷが各装置と接続されたときを再接続処理のトリガーとするものである。
つまり、各装置が再接続する方法には、上記を組み合わせて全部で４つの方法がある。まずは、ＭＭＥ１２においてベアラを再接続する場合について説明する。
【００３０】
（第１実施形態）
（ＭＭＥ１２において再接続処理のトリガーを検知後、ベアラを再接続する場合のＭＭＥ１２の機能構成）
まず、図２を参照して、ネットワーク１０のＭＭＥ１２において再接続処理のトリガーを検知後、ベアラを再接続する場合のＭＭＥ１２の機能構成を説明する。
図２に示すＭＭＥ１２は、通信処理制御部２１と、トリガー検知部２２と、再接続タイミング決定部２３と、ベアラ再接続指示部２４とを備えて構成される。
【００３１】
通信処理制御部２１は、ネットワーク１０を構成する各装置とリクエストやレスポンス等を送受信したり、ＭＭＥ１２内の各部をまとめて制御したりする。
トリガー検知部２２は、常時接続のベアラを再接続するためのトリガーを検知する。トリガー検知部２２は、ＵＥ１０１から常時接続のベアラで発信処理が行われたこと、または各装置と現在接続されているＳ−ＧＷとは別のＳ−ＧＷが各装置と接続されたことを、常時接続のベアラを再接続するためのトリガーとして検知する。
【００３２】
再接続タイミング決定部２３は、トリガー検知部２２により検知されたトリガーに基づいて、常時接続のベアラを再接続するタイミングである再接続タイミングを決定する。例えば、再接続タイミング決定部２３は、トリガー検知部２２によりトリガーが検知された直後を、再接続タイミングとする。
この再接続タイミング決定部２３は、タイマー部３１を備える。トリガー検知部２２によりトリガーが検知され、所定の時間が経過してからベアラを再接続する場合に、タイマー部３１が時間を計時する。再接続タイミング決定部２３は、例えば、トリガー検知部２２によりトリガーが検知され、所定の時間が経過した直後を、再接続タイミングとする。
【００３３】
なお、上記で説明したタイマー部３１等により計時が開始されて、再接続を実行するまでの所定の時間については、ネットワーク側のオペレーターが最適な時間を設定する。勿論、ネットワークのトラヒックモデルやサービスの提供形態等によって異なるが、常時接続のネットワーク１０を利用するユーザーに対して、ベアラが再接続されたことによる違和感を与えないように最適な時間が設定されていれば良い。
【００３４】
なお、トリガー検知部２２によりトリガーが検知された直後に、ベアラを再接続する場合にあっては、タイマー部３１を備える必要はない。または、タイマー部３１により時間を計時する処理を停止する等しておけば良い。
さらに、再接続タイミング決定部２３は、サービス判定部３２を備える。サービス判定部３２は、ＡＰＮ（Ａｃｃｅｓｓ  Ｐｏｉｎｔ  Ｎａｍｅ）を確認することによって、トリガー検知部２２によりトリガーが検知されたベアラが、再接続を必要とするサービスを提供するために用いられているか否かを判定する。
【００３５】
例えば、サービスａ〜ｃの３つのサービスがあって、再接続を必要とするサービスをサービスａのみとする。この場合、再接続タイミング決定部２３は、サービス判定部３２によりトリガーが検知されたベアラが、サービスａを提供するために用いられていると判定した場合のみ、そのベアラの再接続タイミングを決定する。なお、サービスによらずに、トリガーが検知されたときに、全てのユーザーのベアラを再接続する場合にあっては、サービス判定部３２を備える必要はない。
【００３６】
ベアラ再接続指示部２４は、再接続タイミング決定部２３により決定された再接続タイミングで常時接続のベアラを再接続するように、通信処理制御部２１に対して指示を出力する。
上記で説明した通信処理制御部２１と、トリガー検知部２２と、再接続タイミング決定部２３と、ベアラ再接続指示部２４との各処理部とから、ネットワーク再接続システムとして機能する。
【００３７】
（ＭＭＥ１２において発信処理を再接続処理のトリガーとして検知後、ベアラを再接続する場合のネットワーク１０を構成する各装置の動作）
続いて、図３〜図５を参照して、ネットワーク１０のＭＭＥ１２において発信処理を再接続処理のトリガーとして検知後、ベアラを再接続する場合のネットワーク１０を構成する各装置の動作について説明する。なお、ネットワーク１０を構成する各装置の動作を示す各シーケンス図については、説明に必要な装置だけを抜き出して示している。
【００３８】
図３に示すように、最初に、ＭＭＥ１２は、再接続処理を行う必要のあるサービスのＡＰＮを保持する（ステップＳ１０１）。その後、ユーザーが発信を行うと、ネットワーク１０を構成する各装置は、ステップＳ１０２に示す発信処理を行う。なお、発信処理は公知であるため、ここでは発信処理のうち、ベアラの再接続処理を行うことを説明するために必要な処理のみを抜き出して説明する。ここでいう発信処理には、Ａｔｔａｃｈによる発信やＭｕｌｔｉ−ＰＤＮによる発信がある。
【００３９】
まず、ＵＥ１０１は、ｅＮＢ１１に対して、ＥＭＭ＿Ａｔｔａｃｈ  Ｒｅｑｕｅｓｔを送信する（ステップＳ１０２−１）。さらに、ｅＮＢ１１は、ＭＭＥ１２に対して、ＥＭＭ＿Ａｔｔａｃｈ  Ｒｅｑｕｅｓｔを送信する（ステップＳ１０２−２）。
ネットワーク１０の各装置間は、ＡｕｔｈｅｎｔｉｃａｔｉｏｎおよびＮＡＳ  Ｓｅｃｕｒｉｔｙの処理を行う（ステップＳ１０２−３，Ｓ１０２−４）。
【００４０】
ＭＭＥ１２とＨＳＳ１３との間で、Ｄｉａｍｅｔｅｒ＿Ｕｐｄａｔｅ  Ｌｏｃａｔｉｏｎ  ＲｅｑｕｅｓｔおよびＤｉａｍｅｔｅｒ＿Ｕｐｄａｔｅ  Ｌｏｃａｔｉｏｎ  Ａｎｓｗｅｒを送受信することにより、ＨＳＳ１３は、常時接続の携帯電話サービスの契約状況等を判断する（ステップＳ１０２−５〜Ｓ１０２−７）。
ＭＭＥ１２は、ＤＮＳ（Ｄｏｍａｉｎ  Ｎａｍｅ  Ｓｙｓｔｅｍ）手順にてＳ−ＧＷ１０３を選択するための制御を行う（ステップＳ１０２−８）。続いて、ＭＭＥ１２は、ＤＮＳ手順を用いてＰ−ＧＷ１０４を選択するための制御を行う（ステップＳ１０２−９）。
【００４１】
続いて、図４に示すように、ＭＭＥ１２は、Ｓ−ＧＷ１０３に対して、ＧＴＰｖ２＿Ｃｒｅａｔｅ  Ｓｅｓｓｉｏｎ  Ｒｅｑｕｅｓｔを送信する（ステップＳ１０２−１０）。そのＳ−ＧＷ１０３とＰＣＲＦ１４との間で、Ｄｉａｍｅｔｅｒ＿ＣＣ−ＲｅｑｕｅｓｔおよびＤｉａｍｅｔｅｒ＿ＣＣ−Ａｎｓｗｅｒを送受信することで（ステップＳ１０２−１１，Ｓ１０２−１２）、ＰＣＲＦ１４は、Ｓ−ＧＷ１０３に対して送信するＱｏＳ  ＩｎｆｏｒｍａｔｉｏｎやＥｖｅｎｔ  Ｔｒｉｇｇｅｒｓ等の情報を生成する。
【００４２】
さらに、Ｓ−ＧＷ１０３は、Ｐ−ＧＷ１０４に対して、ＰＭＩＰｖ６＿Ｐｒｏｘｙ  Ｂｉｎｄｉｎｇ  Ｕｐｄａｔｅを送信する（ステップＳ１０２−１３）。Ｐ−ＧＷ１０４とＰＣＲＦ１４との間で、Ｄｉａｍｅｔｅｒ＿ＣＣ−ＲｅｑｕｅｓｔおよびＤｉａｍｅｔｅｒ＿ＣＣ−Ａｎｓｗｅｒを送受信することで（ステップＳ１０２−１４，Ｓ１０２−１５）、ＰＣＲＦ１４は、Ｐ−ＧＷ１０４に対して送信するＱｏＳ  Ｉｎｆｏｒｍａｔｉｏｎや課金関連パラメータ等の情報を生成する。最後に、Ｐ−ＧＷ１０４は、Ｓ−ＧＷ１０３に対して、ＰＭＩＰｖ６＿Ｐｒｏｘｙ  Ｂｉｎｄｉｎｇ  Ａｃｋを送信する（ステップＳ１０２−１６）。
【００４３】
Ｓ−ＧＷ１０３は、ＭＭＥ１２に対して、ＧＴＰｖ２＿Ｃｒｅａｔｅ  Ｓｅｓｓｉｏｎ  Ｒｅｑｕｅｓｔに対するレスポンスであるＧＴＰｖ２＿Ｄｅｌｅｔｅ  Ｓｅｓｓｉｏｎ  Ｒｅｓｐｏｎｓｅを送信する（ステップＳ１０２−１７）。
ＭＭＥ１２は、ｅＮＢ１１に対して、ＥＭＭ＿Ａｔｔａｃｈ処理を受け付けたことを示すＥＭＭ＿Ａｔｔａｃｈ  Ａｃｃｅｐｔを送信する（ステップＳ１０２−１８）。すると、ネットワーク１０の各装置間は、ＮＡＳ  Ｓｅｃｕｒｉｔｙの処理を行う（ステップＳ１０２−１９）。
【００４４】
この後、ｅＮＢ１１は、ＵＥ１０１に対して、ＲＲＣ＿ＲＲＣ  Ｃｏｎｎｅｃｔｉｏｎ  Ｒｅｃｏｎｆｉｇｒａｔｉｏｎを送信する（ステップＳ１０２−２０）。ＵＥ１０１は、ＲＲＣ＿ＲＲＣ  Ｃｏｎｎｅｃｔｉｏｎに基づく処理が完了すると、ｅＮＢ１１に対して、ＲＲＣ＿ＲＲＣ  Ｃｏｎｎｅｃｔｉｏｎ  Ｒｅｃｏｎｆｉｇｕｒａｔｉｏｎ  Ｃｏｍｐｌｅｔｅを送信する（ステップＳ１０２−２１）。その後、ｅＮＢ１１は、ＭＭＥ１２に対して、Ｓ１  ＡＰ＿Ｉｎｉｔｉａｌ  Ｃｏｎｔｅｘｔ  Ｓｅｔｕｐ  Ｒｅｓｐｏｎｓｅを送信する（ステップＳ１０２−２２）。
【００４５】
最後に、ＵＥ１０１は、ｅＮＢ１１に対して、ＲＲＣ＿Ｄｉｒｅｃｔ  Ｔｒａｎｓｆｅｒを送信する（ステップＳ１０２−２３）。さらに、ｅＮＢ１１は、ＭＭＥ１２に対して、ＥＭＭ＿Ａｔｔａｃｈ処理が完了したことを示すＥＭＭ＿Ａｔｔａｃｈ  Ｃｏｍｐｌｅｔｅを送信する（ステップＳ１０２−２４）。これに対して、ＭＭＥ１２は、ＵＥ１０１に対して、ＥＭＭ  Ｉｎｆｏｒｍａｔｉｏｎを送信する（ステップＳ１０２−２５）。
【００４６】
そして、トリガー検知部２２は、発信処理が行われたことを検知する。図５に示すように、ＭＭＥ１２の再接続タイミング決定部２３は、ベアラを用いて提供されているサービスが、再接続処理を行う必要のあるサービスであると判断すると（ステップＳ１０３のＹＥＳ）、このベアラを再接続処理を行う対象のベアラとして記憶する。具体的に、再接続タイミング決定部２３は、ベアラを識別するための識別子等を記憶しておく。そして、再接続タイミング決定部２３のタイマー部３１は、時間を計時し始める（ステップＳ１０４）。タイマー部３１は、所定の時間が経過するまで、計時し続ける（ステップＳ１０５のＮＯ）。そして、ベアラ再接続指示部２４は、タイマー部３１が計時している時間が所定の時間を経過すると（ステップＳ１０５のＹＥＳ）、通信処理制御部２１に対して、ステップＳ１０６に示すベアラの再接続処理の実行するための指示を出力する。
【００４７】
この再接続処理の一例として、まず、ＭＭＥ１２は、Ｓ−ＧＷ１０３に対して、ＧＴＰｖ２＿Ｄｅｌｅｔｅ  Ｂｅａｒｅｒ  Ｒｅｑｕｅｓｔを送信する（ステップＳ１０６−１）。すると、Ｓ−ＧＷ１０３とＰＣＲＦ１４との間で、Ｄｉａｍｅｔｅｒ＿Ｇａｔｅｗａｙ  Ｃｏｎｔｒｏｌ  Ｓｅｓｓｉｏｎ  ＴｅｒｍｉｎａｔｉｏｎおよびＤｉａｍｅｔｅｒ＿Ａｃｋ  Ｇａｔｅｗａｙ  Ｃｏｎｔｒｏｌ  Ｓｅｓｓｉｏｎ  Ｔｅｒｍｉｎａｔｉｏｎを送受信する（ステップＳ１０６−２，Ｓ１０６−３）。これにより、Ｓ−ＧＷ１０３とＰＣＲＦ１４との間で、セッションを解放する処理が行われる。
【００４８】
また、この間、ＭＭＥ１２は、ＮＢ１１に対して、Ｓ１−ＡＰ＿ＵＥ  Ｃｏｎｔｅｘｔ  Ｒｅｌｅａｓｅ  Ｃｏｍｍａｎｄを送信する（ステップＳ１０６−４）。ＮＢ１１は、そのコマンドに対する処理が終了すると、Ｓ１−ＡＰ＿ＵＥ  Ｃｏｎｔｅｘｔ  Ｒｅｌｅａｓｅ  Ｃｏｍｐｌｅｔｅを出力する（ステップＳ１０６−５）。これにより、ＭＭＥ１２とＮＢ１１との間で、リリース処理が行われる。
【００４９】
最後に、Ｓ−ＧＷ１０３は、ステップＳ１０４−１のリクエストに対するＧＴＰｖ２＿Ｄｅｌｅｔｅ  Ｂｅａｒｅｒ  Ｒｅｓｐｏｎｓｅを送信する（ステップＳ１０６−６）。そして、ネットワーク１０を構成する各装置は、ベアラを切断するための処理を行った後に、ステップＳ１０２に示した発信処理と同じように接続処理を行うことで、ベアラの再接続処理が完了する。なお、切断処理には、ｉｎｉｔｉａｔｅのｄｅｔｔａｃｈによる切断やＰＤＮ  ｄｅａｃｔｉｖａｔｉｏｎによる切断がある。
【００５０】
また、ステップＳ１０３において、再接続タイミング決定部２３は、ベアラが再接続処理を行う必要のあるサービスに用いられていないと判断すると（ステップＳ１０３のＮＯ）、ベアラ再接続指示部２４は、通信処理制御部２１に対して、ステップＳ１０４のベアラの再接続処理を行うための指示を出力しない。
このように、発信処理をベアラの再接続処理のトリガーにすることによって、ＭＭＥ１２は、通信状態が確立しているベアラに対して再接続処理を行うことができる。
【００５１】
（ＭＭＥ１２においてＳ−ＧＷ変更処理を再接続処理のトリガーとして検知後、ベアラを再接続する場合のネットワーク１０を構成する各装置の動作）
続いて、図６を参照して、ネットワーク１０のＭＭＥ１２においてＳ−ＧＷ変更処理を再接続処理のトリガーとして検知後、ベアラを再接続する場合のネットワーク１０を構成する各装置の動作について説明する。
図６に示すように、最初に、ＭＭＥ１２は、再接続処理を行う必要のあるサービスのＡＰＮを保持する（ステップＳ２０１）。その後、ネットワーク１０を構成する各装置は、ステップＳ２０２に示す発信処理を行う。なお、この発信処理も、図３および図４で説明したステップＳ１０２で示した発信処理と同じような手順で行えば良い。
【００５２】
そして、トリガー検知部２２は、発信処理が行われたことを検知する。その後、ＵＥ１０１が別のエリアに移動すると、ネットワーク１０を構成する各装置は、別のＳ−ＧＷに接続を変更するためのＳ−ＧＷ変更処理を行う（ステップＳ２０３）。例えば、別のＳ−ＧＷに接続するための処理として、次のような処理がある。なお、これらの処理は、発信処理と同様に公知であるため、ここでは別のエリアのＳ−ＧＷを接続するための処理のうち、ベアラを再接続するために必要な処理だけを抜き出して説明する。
【００５３】
ＭＭＥ１２は、Ｓ−ＧＷ１０３に対して、ＧＴＰｖ２_Ｃｒｅａｔｅ  Ｂｅａｒｅｒ  Ｒｅｑｕｅｓｔを送信する（ステップＳ２０３−１）。また、Ｓ−ＧＷ１０３は、ＭＭＥ１２に対して、ＧＴＰｖ２_Ｃｒｅａｔｅ  Ｂｅａｒｅｒ  Ｒｅｑｕｅｓｔに対するレスポンスとしてＧＴＰｖ２_Ｃｒｅａｔｅ  Ｂｅａｒｅｒ  Ｒｅｓｐｏｎｓｅを送信する（ステップＳ２０３−２）。この後も、ネットワーク１０を構成する各装置において、別のエリアのＳ−ＧＷを接続するための処理が行われる。
【００５４】
すると、ＭＭＥ１２のトリガー検知部２２は、上記で説明した別のＳ−ＧＷに接続するための処理が行われたことを検知する。そして、ＭＭＥ１２の再接続タイミング決定部２３は、ベアラを用いて提供されているサービスが、再接続処理を行う必要のあるサービスであると判断すると（ステップＳ２０４のＹＥＳ）、ベアラ再接続指示部２４は、通信処理制御部２１に対して、ベアラの再接続処理を行うための指示を出力する（ステップＳ２０５）。
【００５５】
なお、ステップＳ２０５の再接続処理は、図５で説明したステップＳ１０４の処理と同じように行えば良い。そして、ベアラを切断後に、ステップＳ２０２に示した発信処理の同じように接続処理を行うことで、ベアラの再接続処理が完了する。
また、ステップＳ２０４において、再接続タイミング決定部２３は、ベアラが再接続処理を行う必要のあるサービスに用いられていないと判断すると（ステップＳ２０４のＮＯ）、ベアラ再接続指示部２４は、通信処理制御部２１に対して、ステップＳ２０５の再接続処理を行うための指示を出力しない。
このように、ＧＷ変更処理が行われたことをベアラの再接続処理のトリガーにすることによって、ＭＭＥ１２は、実際に別のＳ−ＧＷが選択されたときに、ベアラの再接続処理を行うことができる。
【００５６】
（第２実施形態）
（ＭＭＥ１２において再接続処理のトリガーを検知後、さらに無通信監視を実施後に、ベアラを再接続する場合のＭＭＥ１２の機能構成）
続いて、図７を参照して、ネットワーク１０のＭＭＥ１２において再接続処理のトリガーを検知後、さらに無通信監視を実施後に、ベアラを再接続する場合のＭＭＥ１２の機能構成について説明する。
図７に示すＭＭＥ１２は、図２に示したＭＭＥ１２とほぼ同一の構成である。しかしながら、図７に示すＭＭＥ１２の構成が、図２に示したＭＭＥ１２の構成と異なる点は、ＭＭＥ１２を構成する再接続タイミング決定部２３が、タイマー部３１の代わりに、無通信監視部４１を備えている点である。
無通信監視部４１は、再接続のトリガーを検知した後、ベアラの通信状態が何も通信を行っていない無通信状態であるか否かを監視し続ける。
【００５７】
（ＭＭＥ１２において発信処理を再接続処理のトリガーとして検知後、さらに無通信監視を実施後に、ベアラを再接続する場合のネットワーク１０を構成する各装置の動作）
続いて、図８を参照して、ネットワーク１０のＭＭＥ１２において発信処理を再接続処理のトリガーとして検知後、さらに無通信監視を実施後に、ベアラを再接続する場合のネットワーク１０を構成する各装置の動作について説明する。
【００５８】
図８に示すように、最初に、ＭＭＥ１２は、再接続処理を行う必要のあるサービスのＡＰＮを保持する（ステップＳ３０１）。その後、ネットワーク１０を構成する各装置は、図４で説明したステップＳ１０２と同様の発信処理を行う（ステップＳ３０２）。
そして、トリガー検知部２２は、ステップＳ３０２の発信処理が行われたことを検知する。この後、無通信監視部４１がベアラの通信状態が無通信状態になったことを監視し続ける（ステップＳ３０３のＮＯ）。なお、実際の無通信状態であることの監視は、Ｓ−ＧＷ１０３およびＰ−ＧＷ１０４が行う。このため、Ｐｒｅｓｅｒｖａｔｉｏｎ制御手順に基づいてＵＥ１０１がＰｒｅｓｅｒｖａｔｉｏｎ状態に遷移すると、ＭＭＥ１２の無通信監視部４１は、無通信状態になったものとして判断する。
【００５９】
そして、無通信監視部４１は、ＵＥ１０１がＰｒｅｓｅｒｖａｔｉｏｎ状態に遷移したと判断したとき（ステップＳ３０３のＹＥＳ）、そのベアラを用いて提供されているサービスが、再接続処理を行う必要のあるサービスであるか否かを判断する。
再接続タイミング決定部２３は、ベアラを用いて提供されているサービスが、再接続処理を行う必要のあるサービスであると判断すると（ステップＳ３０４のＹＥＳ）、ベアラ再接続指示部２４は、通信処理制御部２１に対して、ベアラの再接続処理を行うための指示を出力する（ステップＳ３０５）。
【００６０】
また、ステップＳ３０４において、再接続タイミング決定部２３は、そのベアラを用いて提供されているサービスが、再接続処理を行う必要のないサービスである判断すると（ステップＳ３０４のＮＯ）、ベアラ再接続指示部２４は、通信処理制御部２１に対して、ステップＳ３０５の再接続処理を行うための指示を出力しない。
【００６１】
このように、再接続処理のトリガーが検出された後、無通信状態を監視することによって、実際にベアラの通信状態が無通信状態になってから、そのベアラの再接続処理を行うことができる。
また、ＭＭＥ１２においては、ベアラが無通信状態であるか否かを直接監視することができない。しかしながら、ＵＥ１０１がＰｒｅｓｅｒｖａｔｉｏｎ状態に遷移すると、ＭＭＥ１２の無通信監視部４１は、無通信状態になったものとして判断して、ＭＭＥ１２はベアラの再接続処理を行うことができる。
【００６２】
（ＭＭＥ１２においてＳ−ＧＷ変更処理を再接続処理のトリガーとして検知後、さらに無通信監視を実施後に、ベアラを再接続する場合のネットワーク１０を構成する各装置の動作）
続いて、図９を参照して、ネットワーク１０のＭＭＥ１２においてＳ−ＧＷ変更処理を再接続処理のトリガーとして検知後、さらに無通信監視を実施後に、ベアラを再接続する場合のネットワーク１０を構成する各装置の動作について説明する。
【００６３】
図９に示すように、最初に、ＭＭＥ１２は、再接続処理を行う必要のあるサービスのＡＰＮを保持する（ステップＳ４０１）。その後、ネットワーク１０を構成する各装置は、図４で説明したステップＳ１０２と同様の発信処理を行う（ステップＳ４０２）。
その後、ＵＥ１０１が別のエリアに移動すると、ネットワーク１０を構成する装置は、現在選択されているＳ−ＧＷから別のＳ−ＧＷに変更するためのＳ−ＧＷ変更処理を行う（ステップＳ４０３）。トリガー検知部２２は、現在選択されているＳ−ＧＷから別のＳ−ＧＷに変更するための処理が行われたことを検知する。
【００６４】
再接続タイミング決定部２３は、そのベアラを用いて提供されているサービスが、再接続処理を行う必要のあるサービスであると判断すると（ステップＳ４０４のＹＥＳ）、再接続タイミング決定部２３は、ベアラの再接続処理の実行可否を制御するためのフラグをオフ状態からオン状態に変更する（ステップＳ４０５）。
【００６５】
そして、ステップＳ４０２の発信処理に続いて、無通信監視部４１は、ＵＥ１０１がＰｒｅｓｅｒｖａｔｉｏｎ状態に遷移するまで通信状態を監視し続ける（ステップＳ４０６のＮＯ）。その後、無通信監視部４１は、ＵＥ１０１がＰｒｅｓｅｒｖａｔｉｏｎ状態に
遷移したとき（ステップＳ４０６のＹＥＳ）、ベアラの再接続処理の実行可否を制御するためのフラグがオン状態であると判断すると（ステップＳ４０７のＹＥＳ）、ベアラ再接続指示部２４は、通信処理制御部２１に対して、ベアラの再接続処理を行うための指示を出力する（ステップＳ４０８）。
【００６６】
また、ステップＳ４０４において、再接続タイミング決定部２３は、そのベアラを用いて提供されているサービスが、再接続処理を行う必要のないサービスであると判断すると（ステップＳ４０４のＮＯ）、ベアラ再接続指示部２４は、通信処理制御部２１に対して、ステップＳ４０８の再接続処理を行うための指示を出力しない。
【００６７】
同様に、ステップＳ４０７において、ベアラの再接続処理の実行可否を制御するためのフラグがオフ状態であると判断すると（ステップＳ４０７のＮＯ）、ベアラ再接続指示部２４は、通信処理制御部２１に対して、ステップＳ４０７の再接続処理を行うための指示を出力しない。
ここまで、ＭＭＥ１２において、ベアラを再接続する場合の流れについて説明した。次に、Ｐ−ＧＷ１０４においてベアラを再接続する場合の流れについて説明する。
【００６８】
（第３実施形態）
（Ｐ−ＧＷ１０４において再接続処理のトリガーを検知後、ベアラを再接続する場合のＰ−ＧＷ１０４の機能構成）
まず、図１０を参照して、ネットワーク１０のＰ−ＧＷ１０４において再接続処理のトリガーを検知後、ベアラを再接続する場合のＰ−ＧＷ１０４の機能構成について説明する。
図１０に示すＰ−ＧＷ１０４は、図２に示したＭＭＥ１２と同一の処理部を備えて構成される。再接続処理を行う装置が、ＭＭＥ１２からＰ−ＧＷ１０４に変わったが、再接続処理を行うために必要な構成は、実質変わらない。
【００６９】
（Ｐ−ＧＷ１０４において発信処理を再接続処理のトリガーとして検知後、ベアラを再接続する場合のネットワーク１０を構成する各装置の動作）
続いて、図１１を参照して、ネットワーク１０のＰ−ＧＷ１０４において発信処理を再接続処理のトリガーとして検知後、ベアラを再接続する場合のネットワーク１０を構成する各装置の動作について説明する。
図１１に示すように、最初に、Ｐ−ＧＷ１０４は、再接続処理を行う必要のあるサービスのＡＰＮを保持する（ステップＳ５０１）。その後、ネットワーク１０を構成する各装置は、図４で説明したステップＳ１０２と同様の発信処理を行う（ステップＳ５０２）。
【００７０】
トリガー検知部２２は、上記で説明した発信処理が行われたことを検知して、Ｐ−ＧＷ１０４の再接続タイミング決定部２３は、ベアラを用いて提供されているサービスが、再接続処理を行う必要のあるサービスであると判断すると（ステップＳ５０３のＹＥＳ）、再接続タイミング決定部２３のタイマー部３１は、計時を開始する（ステップＳ５０４）。
タイマー部３１は、所定の時間が経過するまで計時し続ける（ステップＳ５０５のＮＯ）。そして、タイマー部３１で計時された時間が所定の時間を経過したとき（ステップＳ５０５のＹＥＳ）、ベアラ再接続指示部２４は、通信処理制御部２１に対して、ベアラの再接続処理を行うための指示を出力する（ステップＳ５０６）。
【００７１】
また、ステップＳ５０３において、Ｐ−ＧＷ１０４の再接続タイミング決定部２３は、ベアラが再接続処理を行う必要のあるサービスに用いられていないと判断する（ステップＳ５０３のＮＯ）。すると、ベアラ再接続指示部２４は、通信処理制御部２１に対して、ステップＳ５０６の再接続処理を行うための指示を出力しない。
【００７２】
（Ｐ−ＧＷ１０４においてＳ−ＧＷ変更処理を再接続処理のトリガーとして検知後、ベアラを再接続する場合のネットワーク１０を構成する各装置の動作）
続いて、図１２および図１３を参照して、ネットワーク１０のＰ−ＧＷ１０４においてＳ−ＧＷ変更処理を再接続処理のトリガーとして検知後、ベアラを再接続する場合のネットワーク１０を構成する各装置の動作について説明する。
【００７３】
図１２に示すように、最初に、Ｐ−ＧＷ１０４は、再接続処理を行う必要のあるサービスのＡＰＮを保持する（ステップＳ６０１）。その後、ネットワーク１０を構成する各装置は、図４で説明したステップＳ１０２と同様の発信処理を行う（ステップＳ６０２）。
その後、Ｐ−ＧＷ１０４の再接続タイミング決定部２３は、ベアラを用いて提供されているサービスが、再接続処理を行う必要のあるサービスであると判断すると（ステップＳ６０３のＹＥＳ）、ベアラの再接続処理の実行可否を制御するためのフラグをオン状態にする（ステップＳ６０４）。
【００７４】
そして、ＵＥ１０１が別のエリアに移動すると、ネットワーク１０を構成する各装置は、現在選択されているＳ−ＧＷから別のＳ−ＧＷに変更するためのＳ−ＧＷ変更処理を行う（ステップＳ６０５）。このＳ−ＧＷの接続先を変更する処理の一例として、移動後のエリアのＳ−ＧＷ１０６は、ＰＣＲＦ１４に対して、Ｄｉａｍｅｔｅｒ＿Ｇａｔｅｗａｙ  Ｃｏｎｔｒｏｌ  Ｓｅｓｓｉｏｎ  Ｅｓｔａｂｌｉｓｈｍｅｎｔを送信する（ステップＳ６０５−１）。これに対して、ＰＣＲＦ１４は、Ｓ−ＧＷ１０６に対して、Ｄｉａｍｅｔｅｒ＿Ａｃｋｎｏｗｌｅｄｇｅ  Ｇａｔｅｗａｙ  Ｃｏｎｔｒｏｌ  Ｓｅｓｓｉｏｎ  Ｅｓｔａｂｌｉｓｈｍｅｎｔを送信する（ステップＳ６０５−２）。
【００７５】
さらに、Ｓ−ＧＷ１０６は、Ｐ−ＧＷ１４に対して、ＰＭＩＰｖ６＿Ｐｒｏｘｙ  Ｂｉｎｄｉｎｇ  Ｕｐｄａｔｅを送信する（ステップＳ６０５−３）。これに対して、Ｐ−ＧＷ１４は、Ｓ−ＧＷ１０６に対して、ＰＭＩＰｖ６＿Ｐｒｏｘｙ  Ｂｉｎｄｉｎｇ  Ａｃｋを送信する（ステップＳ６０５−４）。
このように、トリガー検知部２２は、Ｓ−ＧＷを変更する際に移動後のエリアのＳ−ＧＷ１０６から送信されたステップＳ６０５−３のＰＭＩＰｖ６＿Ｐｒｏｘｙ  Ｂｉｎｄｉｎｇ  Ｕｐｄａｔｅに基づいて、Ｓ−ＧＷを変更する処理が行われたことを検知することができる。
【００７６】
Ｐ−ＧＷ１０４は、ベアラの再接続処理の実行可否を制御するためのフラグがオン状態であれば（ステップＳ６０６のＹＥＳ）、ベアラ再接続指示部２４は、ステップＳ６０７の再接続処理を行う（ステップＳ６０７）。
また、ステップＳ６０３において、Ｐ−ＧＷ１０４の再接続タイミング決定部２３は、ベアラが再接続処理を行う必要のあるサービスに用いられていないと判断すると（ステップＳ６０３のＮＯ）、ベアラ再接続指示部２４は、通信処理制御部２１に対して、図１３に示すステップＳ６０７の再接続処理を行うための指示を出力しない。
同様に、ステップＳ６０６において、Ｐ−ＧＷ１０４は、ベアラの再接続処理の実行可否を制御するためのフラグがオフ状態であれば（ステップＳ６０６のＮＯ）、ベアラ再接続指示部２４は、通信処理制御部２１に対して、図１３に示すステップＳ６０７の再接続処理を行うための指示をを出力しない。
【００７７】
（第４実施形態）
（Ｐ−ＧＷ１０４において再接続処理のトリガーを検知後、さらに無通信監視を実施後に、ベアラを再接続する場合のＰ−ＧＷ１０４の機能構成）
続いて、図１４を参照して、ネットワーク１０のＰ−ＧＷ１０４において再接続処理のトリガーを検知後、さらに無通信監視を実施後に、ベアラを再接続する場合のＰ−ＧＷ１０４の機能構成について説明する。
【００７８】
図１４に示すＰ−ＧＷ１０４は、図７に示したＭＭＥ１２とほぼ同一の構成である。しかしながら、図１４に示すＰ−ＧＷ１０４の構成が、図７に示したＭＭＥ１２と異なる点は、再接続タイミング決定部２３がタイマー部３１を備えている点である。このタイマー部３１は、上記で説明したＭＭＥ１２が備えていたタイマー部３１と機能は同じである。
【００７９】
（Ｐ−ＧＷ１０４において発信処理を再接続処理のトリガーとして検知後、さらに無通信監視を実施後に、ベアラを再接続する場合のネットワーク１０を構成する各装置の動作）
続いて、図１５を参照して、ネットワーク１０のＰ−ＧＷ１０４において発信処理を再接続処理のトリガーとして検知後、さらに無通信監視を実施後に、ベアラを再接続する場合のネットワーク１０を構成する各装置の動作について説明する。
【００８０】
図１５に示すように、最初に、Ｐ−ＧＷ１０４は、再接続処理を行う必要のあるサービスのＡＰＮや、無通信監視部４１により無通信状態であることを判定する時間等を保持する（ステップＳ７０１）。その後、ネットワーク１０を構成する各装置は、図４で説明したステップＳ１０２と同様の発信処理を行う（ステップＳ７０２）。
トリガー検知部２２は、上記で説明した発信処理が行われたことを検知し、Ｐ−ＧＷ１０４の再接続タイミング決定部２３は、ベアラを用いて提供されているサービスが、再接続処理を行う必要のあるサービスであると判断すると（ステップＳ７０３のＹＥＳ）、無通信監視部４１は、無通信状態であるか否かを監視し始める（ステップＳ７０４）。また、再接続タイミング決定部２３のタイマー部３１は、計時を開始する（ステップＳ７０５）。
【００８１】
再接続タイミング決定部２３は、ベアラが無通信状態である時間が所定の時間を経過するまで（ステップＳ７０６のＮＯ）、ベアラ再接続指示部２４は、通信処理制御部２１に対して、ステップＳ７０６の再接続処理を行うための指示を出力しない。再接続タイミング決定部２３は、計時している時間をリセットした上で、無通信状態であるか否かを監視し続ける。
また、再接続タイミング決定部２３は、ベアラが無通信状態である時間が所定の時間を経過したと判断すると（ステップＳ７０６のＹＥＳ）、ベアラ再接続指示部２４は、通信処理制御部２１に対して、再接続処理を行うための指示を出力する（ステップＳ７０７）。
【００８２】
また、ステップＳ７０３において、Ｐ−ＧＷ１０４の再接続タイミング決定部２３は、ベアラが再接続処理を行う必要のあるサービスに用いられていないと判断すると（ステップＳ７０３のＮＯ）、ベアラ再接続指示部２４は、通信処理制御部２１に対して、ステップＳ７０６の再接続処理をを行うための指示を出力しない。
このように、Ｐ−ＧＷ１０４においては、自装置でベアラが無通信状態であるか否かを直接監視して、ベアラの再接続処理を行うことができる。
【００８３】
（Ｐ−ＧＷ１０４においてＳ−ＧＷ変更処理を再接続処理のトリガーとして検知後、さらに無通信監視を実施後に、ベアラを再接続する場合のネットワーク１０を構成する各装置の動作）
続いて、図１６および図１７を参照して、ネットワーク１０のＰ−ＧＷ１０４においてＳ−ＧＷ変更処理を再接続処理のトリガーとして検知後、さらに無通信監視を実施後に、ベアラを再接続する場合のネットワーク１０を構成する各装置の動作について説明する。
【００８４】
図１６に示すように、最初に、Ｐ−ＧＷ１０４は、再接続処理を行う必要のあるサービスのＡＰＮや、無通信監視部４１により無通信状態であることを判定する時間等を保持する（ステップＳ８０１）。その後、ネットワーク１０を構成する各装置は、図４で説明したステップＳ１０２と同様の発信処理を行う（ステップＳ８０２）。
その後、Ｐ−ＧＷ１０４の再接続タイミング決定部２３は、ベアラが再接続処理を行う必要のあるサービスに用いられていると判断すると（ステップＳ８０３のＹＥＳ）、ベアラの再接続処理の実行可否を制御するためのフラグをオン状態にする（ステップＳ８０４）。
【００８５】
そして、ＵＥ１０１が別のエリアに移動すると、ネットワーク１０を構成する各装置は、現在選択されているＳ−ＧＷから別のＳ−ＧＷに変更するためのＳ−ＧＷ変更処理を行う（ステップＳ８０５）。Ｐ−ＧＷ１０４は、ベアラの再接続処理の実行可否を制御するためのフラグがオン状態であれば（ステップＳ８０６のＹＥＳ）、無通信監視部４１は、無通信状態であるか否かを監視し始める（ステップＳ８０７）。また、再接続タイミング決定部２３のタイマー部３１は、計時を開始する（ステップＳ８０８）。
【００８６】
再接続タイミング決定部２３は、ベアラが無通信状態である時間が所定の時間を経過するまで（ステップＳ８０９のＮＯ）、ベアラ再接続指示部２４は、通信処理制御部２１に対して、ステップＳ８１０の再接続処理を行うための指示を出力しない。この際、再接続タイミング決定部２３は、計時している時間をリセットして、引き続き、無通信状態であるか否かを監視し続ける。
【００８７】
また、再接続タイミング決定部２３は、ベアラが無通信状態である時間が所定の時間を経過したと判断すると（ステップＳ８０９のＹＥＳ）、ベアラ再接続指示部２４は、通信処理制御部２１に対して、ベアラの再接続処理を行うための指示を出力する（ステップＳ８１０）。
また、ステップＳ８０３において、Ｐ−ＧＷ１０４の再接続タイミング決定部２３は、ベアラを用いて提供されているサービスが、再接続処理を行う必要のないサービスであると判断すると（ステップＳ８０３のＮＯ）、ベアラ再接続指示部２４は、通信処理制御部２１に対して、図１７に示すステップＳ８１０の再接続処理を行うための指示を出力しない。
【００８８】
同様に、ステップＳ８０６において、Ｐ−ＧＷ１０４は、ベアラの再接続処理の実行可否を制御するためのフラグがオフ状態であれば（ステップＳ８０６のＮＯ）、ベアラ再接続指示部２４は、通信処理制御部２１に対して、ステップＳ８１０の再接続処理を行うための指示を出力しない。
ここまで、Ｐ−ＧＷ１０４において、ベアラを再接続する場合の流れについて説明した。次に、ＰＣＲＦ１４においてベアラを再接続する場合の流れについて説明する。
【００８９】
（第５実施形態）
（ＰＣＲＦ１４において再接続処理のトリガーを検知後、ベアラを再接続する場合のＰＣＲＦ１４の機能構成）
まず、図１８を参照して、ネットワーク１０のＰＣＲＦ１４において再接続処理のトリガーを検知後、ベアラを再接続する場合のＰＣＲＦ１４の機能構成を説明する。
図１８に示すＰＣＲＦ１４は、図１０に示したＰ−ＧＷ１０４と同一の処理部を備えて構成される。ベアラの再接続処理を行う装置が、ＭＭＥ１２やＰ−ＧＷ１０４からＰＣＲＦ１４に変わったが、ベアラの再接続処理を行うために必要な構成は、実質変わらない。
【００９０】
（ＰＣＲＦ１４において発信処理を再接続処理のトリガーとして検知後、ベアラを再接続する場合のネットワーク１０を構成する各装置の動作）
続いて、図１９を参照して、ネットワーク１０のＰＣＲＦ１４において発信処理を再接続処理のトリガーとして検知後、ベアラを再接続する場合のネットワーク１０を構成する各装置の動作について説明する。
図１９に示すように、最初に、ＰＣＲＦ１４は、再接続処理を行う必要のあるサービスのＡＰＮを保持する（ステップＳ９０１）。その後、ネットワーク１０を構成する各装置は、図４で説明したステップＳ１０２と同様の発信処理を行う（ステップＳ９０２）。
【００９１】
トリガー検知部２２は、上記で説明した発信処理が行われたことを検知して、ＰＣＲＦ１４の再接続タイミング決定部２３は、ベアラを用いて提供されているサービスが、再接続処理を行う必要のあるサービスであると判断すると（ステップＳ９０３のＹＥＳ）、再接続タイミング決定部２３のタイマー部３１は、計時を開始する（ステップＳ９０４）。
【００９２】
タイマー部３１は、所定の時間が経過するまで計時し続ける（ステップＳ９０５のＮＯ）。そして、タイマー部３１で計時された時間が所定の時間を経過したとき（ステップＳ９０５のＹＥＳ）、ベアラ再接続指示部２４は、通信処理制御部２１に対して、ベアラの再接続処理を行うための指示を出力する（ステップＳ９０６）。
また、ステップＳ９０３において、ＰＣＲＦ１４の再接続タイミング決定部２３は、ベアラが再接続処理を行う必要のあるサービスに用いられていないと判断する（ステップＳ９０３のＮＯ）。すると、ベアラ再接続指示部２４は、通信処理制御部２１に対して、ステップＳ９０６の再接続処理を行うための指示を出力しない。
【００９３】
（ＰＣＲＦ１４においてＳ−ＧＷ変更処理を再接続処理のトリガーとして検知後、ベアラを再接続する場合のネットワーク１０を構成する各装置の動作）
続いて、図２０を参照して、ＰＣＲＦ１４においてＳ−ＧＷ変更処理を再接続処理のトリガーとして検知後、ベアラを再接続する場合のネットワーク１０を構成する各装置の動作について説明する。
図２０に示すように、最初に、ＰＣＲＦ１４は、再接続処理を行う必要のあるサービスのＡＰＮを保持する（ステップＳ１００１）。その後、ネットワーク１０を構成する各装置は、図４で説明したステップＳ１０２と同様の発信処理を行う（ステップＳ１００２）。
【００９４】
トリガー検知部２２は、上記で説明した発信処理が行われたことを検知して、ＰＣＲＦ１４の再接続タイミング決定部２３は、ベアラを用いて提供されているサービスが、再接続処理を行う必要のあるサービスであると判断すると（ステップＳ１００３のＹＥＳ）、ベアラの再接続処理の実行可否を制御するためのフラグをオン状態にする（ステップＳ１００４）。
【００９５】
そして、ＵＥ１０１が別のエリアに移動すると、網を構成する各装置は、現在選択されているＳ−ＧＷから別のＳ−ＧＷに変更するためのＳ−ＧＷ変更処理を行う（ステップＳ１００５）。ステップＳ１００５に示すＳ−ＧＷ変更処理は、ステップＳ６０５に示したＳ−ＧＷ変更処理と同様な手順である。トリガー検知部２２は、Ｓ−ＧＷを変更する際に移動後のエリアのＳ−ＧＷ１０６から送信されたステップＳ６０５−１のＤｉａｍｅｔｅｒ＿Ｇａｔｅｗａｙ  Ｃｏｎｔｒｏｌ  Ｓｅｓｓｉｏｎ  Ｅｓｔａｂｌｉｓｈｍｅｎｔに基づいて、Ｓ−ＧＷを変更する処理が行われたことを検知することができる。
【００９６】
ＰＣＲＦ１４は、ベアラの再接続処理の実行可否を制御するためのフラグがオン状態であれば（ステップＳ１００６のＹＥＳ）、ベアラ再接続指示部２４は、通信処理制御部２１に対して、ステップＳ１００７の再接続処理を行うための指示を出力する。
また、ステップＳ１００３において、ＰＣＲＦ１４の再接続タイミング決定部２３は、ベアラが再接続処理を行う必要のあるサービスに用いられていないと判断する（ステップＳ１００３のＮＯ）。すると、ベアラ再接続指示部２４は、通信処理制御部２１に対して、ステップＳ１００７の再接続処理を行うように指示を出力しない。
同様に、ステップＳ１００６において、ＰＣＲＦ１４は、ベアラの再接続処理の実行可否を制御するためのフラグがオフ状態であれば（ステップＳ１００６のＮＯ）、ベアラ再接続指示部２４は、通信処理制御部２１に対して、ステップＳ１００７の再接続処理を行うための指示を出力しない。
【００９７】
（第６実施形態）
（ＰＣＲＦ１４において再接続処理のトリガーを検知後、さらに無通信監視を実施後に、ベアラを再接続する場合のＰ−ＧＷ１０４の機能構成）
続いて、図２１を参照して、ネットワーク１０のＰＣＲＦ１４において再接続処理のトリガーを検知後、さらに無通信監視を実施後に、ベアラを再接続する場合のＰ−ＧＷ１０４の機能構成について説明する。
図２１に示すＰＣＲＦ１４は、図１４に示したＰ−ＧＷ１０４を構成する各処理部のうち、通信処理制御部２１と、トリガー検知部２２と、再接続指示部２４とを備えて構成される。つまり、このＰＣＲＦ１４は、再接続タイミング決定部２３を備えていない。その代わりに、Ｐ−ＧＷ１０４が、再接続タイミング決定部２３を備えている。
【００９８】
これは、ＰＣＲＦ１４においては、ベアラが無通信状態であるか否かを直接監視することができないためである。但し、ベアラを再接続するための構成は、図１４に示したＰ−ＧＷ１０４の構成と実質変わらない。なお、Ｐ−ＧＷ１０４ではなく、Ｓ−ＧＷ１０３が再接続タイミング決定部２３を備えて、Ｓ−ＧＷ１０３がベアラの無通信状態を監視しても良い。
【００９９】
（ＰＣＲＦ１４において発信処理を再接続処理のトリガーとして検知後、さらに無通信監視を実施後に、ベアラを再接続する場合のネットワーク１０を構成する各装置の動作）
まず、図２２および図２３を参照して、ネットワーク１０のＰＣＲＦ１４において発信処理を再接続処理のトリガーとして検知後、さらに無通信監視を実施後に、ベアラを再接続する場合のネットワーク１０を構成する各装置の動作について説明する。
【０１００】
図２２に示すように、最初に、Ｐ−ＧＷ１０４は、再接続処理を行う必要のあるサービスのＡＰＮや、無通信監視部４１により無通信状態であることを判定する時間等を保持する（ステップＳ１１０１）。その後、ネットワーク１０を構成する各装置は、図４で説明したステップＳ１０２と同様の発信処理を行う（ステップＳ１１０２）。なお、ステップＳ１１０２，Ｓ１１０８に示す発信処理は、ステップＳ１０２に示した発信処理と実質同じものである。
【０１０１】
そして、発信処理の中において、ＰＣＲＦ１４は、Ｐ−ＧＷ１０４からＤｉａｍｅｔｅｒ＿ＣＣ−Ｒｅｑｕｅｓｔを受信する（ステップＳ１１０３）。そして、ＰＣＲＦ１４の再接続タイミング決定部２３は、ベアラを用いて提供されているサービスが、再接続処理を行う必要のあるサービスであると判断すると（ステップＳ１１０４のＹＥＳ）、Ｐ−ＧＷ１０４の無通信監視部４１に対して、無通信状態であるか否かの監視を依頼するためのＤｉａｍｅｔｅｒ＿ＣＣ−Ａｎｓｗｅｒを送信する（ステップＳ１１０５）。具体的に、Ｄｉａｍｅｔｅｒ＿ＣＣ−Ａｎｓｗｅｒは、無通信監視部４１にベアラが無通信状態であるか否かを監視させた後、ベアラ再接続指示部２４にベアラの再接続処理を行うための指示を出力させるためのものである。
【０１０２】
Ｐ−ＧＷ１０４の無通信監視部４１は、ベアラが無通信状態であるか否かを監視し始める（ステップＳ１１０６）。また、再接続タイミング決定部２３のタイマー部３１は、計時を開始する（ステップＳ１１０７）。その後、ネットワーク１０を構成する各装置は、ステップ１１０２に示した発信処理の続きを継続する（ステップＳ１１０８）。
【０１０３】
そして、再接続タイミング決定部２３は、ベアラが無通信状態である時間がが所定の時間を経過するまで（ステップＳ１１０９のＹＥＳ）、ベアラ再接続指示部２４は、図示しないＰ−ＧＷ１０４の通信処理制御部等に対して、ベアラの再接続処理を行うための指示を出力する（ステップＳ１１１０）。
再接続タイミング決定部２３は、ベアラが無通信状態である時間が所定の時間を経過したと判断すると（ステップＳ１１０９のＮＯ）、ベアラ再接続指示部２４は、通信処理制御部２１に対して、ステップＳ１１１０の再接続処理を行うための指示を出力しない。
【０１０４】
なお、ステップＳ１１０４において、Ｐ−ＧＷ１０４の再接続タイミング決定部２３は、ベアラを用いて提供されているサービスが、再接続処理を行う必要のないサービスであると判断すると（ステップＳ１１０４のＮＯ）、ＰＣＲＦ１４は、図２３に示すように、Ｐ−ＧＷ１０４の無通信監視部４１に、無通信状態であるか否かを監視させないことを指示するためのＤｉａｍｅｔｅｒ＿ＣＣ−Ａｎｓｗｅｒを送信する（ステップＳ１１５１）。その後、ネットワーク１０を構成する各装置は、Ｓ１１０８で示した発信処理と同じの発信処理を継続して行う（ステップＳ１１５２）。そして、ベアラ再接続指示部２４は、通信処理制御部２１に対して、ステップＳ１１１０の再接続処理を行うための指示を出力しない。
このように、ＰＣＲＦ１４においては、ベアラが無通信状態であるか否かを直接監視することができない。しかしながら、Ｓ−ＧＷ１０３が再接続タイミング決定部２３を備えることにより、Ｓ−ＧＷ１０３がベアラの無通信状態を監視した上で、ＰＣＲＦ１４はベアラの再接続処理を行うことができる。
【０１０５】
（ＰＣＲＦ１４においてＳ−ＧＷ変更処理を再接続処理のトリガーとして検知後、さらに無通信監視を実施後に、ベアラを再接続する場合のネットワーク１０を構成する各装置の動作）
続いて、図２４および図２５を参照して、ネットワーク１０のＰＣＲＦ１４においてＳ−ＧＷ変更処理を再接続処理のトリガーとして検知後、さらに無通信監視を実施後に、ベアラを再接続する場合のネットワーク１０を構成する各装置の動作について説明する。
【０１０６】
図２４に示すように、最初に、ＰＣＲＦ１４は、再接続処理を行う必要のあるサービスのＡＰＮや、無通信監視部４１により無通信状態であることを判定する時間等を保持する（ステップＳ１２０１）。その後、ネットワーク１０を構成する各装置は、図４で説明したステップＳ１０２と同様の発信処理を行う（ステップＳ１２０２）。
その後、ＰＣＲＦ１４は、ベアラを用いて提供されているサービスが、再接続処理を行う必要のあるサービスであると判断すると（ステップＳ１２０３のＹＥＳ）、ベアラの再接続処理の実行可否を制御するためのフラグをオン状態にする（ステップＳ１２０４）。
【０１０７】
そして、ＵＥ１０１が別のエリアに移動すると、ネットワーク１０を構成する各装置は、現在選択されているＳ−ＧＷから別のＳ−ＧＷに変更するためのＳ−ＧＷ変更処理を行う（ステップＳ１２０５）。ＰＣＲＦ１４は、ベアラの再接続処理の実行可否を制御するためのフラグがオン状態であれば（ステップＳ１２０６のＹＥＳ）、再接続タイミング決定部２３に対して、ベアラが無通信状態であるか否かを監視するためのＤｉａｍｅｔｅｒ＿Ｒｅ−Ａｕｔｈ−Ｒｅｑｕｅｓｔを送信する（ステップＳ１２０７）。すると、無通信監視部４１は、ベアラが無通信状態であるか否かを監視し始める（ステップＳ１２０８）。また、再接続タイミング決定部２３のタイマー部３１は、計時を開始する（ステップＳ１２０９）。Ｐ−ＧＷ１０４は、ＰＣＲＦ１４に対して、Ｄｉａｍｅｔｅｒ＿Ｒｅ−Ａｕｔｈ−Ａｎｓｗｅｒを送信する（ステップＳ１２１０）。
【０１０８】
図２５に示すように、再接続タイミング決定部２３は、ベアラが無通信状態である時間が所定の時間を経過するまで（ステップＳ１２１１のＮＯ）、ベアラ再接続指示部２４は、通信処理制御部２１に対して、ステップＳ１２１２の再接続処理を行うための指示を出力しない。また、再接続タイミング決定部２３は、ベアラが無通信状態である時間が所定の時間を経過したと判断すると（ステップＳ１２１１のＹＥＳ）、ベアラ再接続指示部２４は、ベアラの再接続処理を行う（ステップＳ１２１２）。
【０１０９】
また、ステップＳ１２０３において、ＰＣＲＦ１４は、ベアラを用いて提供されているサービスが、再接続処理を行う必要のないサービスである判断すると（ステップＳ１２０３のＮＯ）、図２５に示すように、通信処理制御部２１に対して、ベアラ再接続指示部２４は、ステップＳ１２１２の再接続処理を行うための指示を出力しない。
同様に、ステップＳ１２０６において、ＰＣＲＦ１４は、ベアラの再接続処理の実行可否を制御するためのフラグがオフ状態であれば（ステップＳ１２０６のＮＯ）、ベアラ再接続指示部２４は、通信処理制御部２１に対して、ステップＳ１２１２の再接続処理を行うための指示を出力しない。
【０１１０】
（ネットワーク再接続システムを用いて構成されたネットワーク１０のまとめ）
上記で説明した常時接続のネットワーク１０においては、ＭＭＥ１２、Ｐ−ＧＷ１０４およびＰＣＲＦ１４のうちのいずれかの装置を、ネットワーク再接続システムによりベアラの再接続処理を行うポイントとしている。再接続処理を行うポイントは、上記のどの装置であっても良い。そして、ネットワーク１０においては、各再接続のトリガーや無通信状態の時間等に応じて、ベアラの再接続することができる。
【０１１１】
ＵＥ１０１が異なるエリアに移動することにより、２つのエリアをまたいで、Ｐ−ＧＷとＳ−ＧＷとが選択されている状態になっていても、ベアラを再接続することにより、ＵＥ１０１の移動先のエリアに対応するＰ−ＧＷとＳ−ＧＷとが常に選択されている状態にすることができる。２つのエリアをまたいで、Ｐ−ＧＷとＳ−ＧＷとが選択されることがないため、Ｐ−ＧＷとＳ−ＧＷとの間のインターフェイス処理Ｓ５が不要になる。
【０１１２】
上記のようなネットワーク１０においては、インターフェイス処理Ｓ５を行うことによりトラヒック量が増大することを抑えられるため、ネットワーク１０のリソースを有効に活用することができる。特に、ネットワークの各Ｐ−ＧＷ及びＳ−ＧＷ、この他にもネットワークの中継用スイッチング装置、中継用ルーター等のネットワーク機器、さらに、各装置が収容されている局舎間の伝送路等のトラヒック量を抑えることができる。また、ネットワークを構成するハードウェアやソフトウェアのライセンス費用が従量制である場合には、これらの費用を抑えることもできる。
【０１１３】
なお、上記で説明したネットワーク再接続システムは、システムを構成する各部がＭＭＥ１２やＰ−ＧＷ１０４等の単一の装置内に設けられて実現されたり、複数の装置に設けられ、かつそれらの装置がネットワーク１０を介して接続されて実現されたりするものであった。いずれの場合であっても、本明細書のネットワーク再接続システムに該当する。すなわち、本明細書のネットワーク再接続システムは、システムを構成する各部同士が協調して動作するものであって、システムを構成する各部がネットワーク１０のどの装置に設けられていても、単一の装置に各部が設けられて実現されているものと得られる効果は同じである。また、各部を設ける装置として、ＭＭＥ１２やＰ−ＧＷ１０４等の装置を例にして説明したが、上記で説明した再接続するための一連の処理を行うことが可能であれば、各部を設ける装置はこれらの装置に限定されるものではない。
【０１１４】
また、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【０１１５】
本発明のネットワーク再接続システムは、特に常時接続を前提とするネットワークにおいて、ベアラを再接続するためのネットワーク再接続システムとして、ネットワークを構成する各装置に用いることができる。
【符号の説明】
【０１１６】
１０……ネットワーク
１０１……ＵＥ
１０２……サービス提供装置
１０３……Ｓ−ＧＷ
１０４……Ｐ−ＧＷ
１１……ｅＮＢ
１２……ＭＭＥ
１３……ＨＳＳ
１４……ＰＣＲＦ
２２……トリガー検知部
２３……再接続タイミング決定部
２４……再接続指示部
３１……タイマー部
３２……サービス判定部
４１……無通信監視部
【図１】
0005756705.tif 000002
【図２】
0005756705.tif 000003
【図３】
0005756705.tif 000004
【図４】
0005756705.tif 000005
【図５】
0005756705.tif 000006
【図６】
0005756705.tif 000007
【図７】
0005756705.tif 000008
【図８】
0005756705.tif 000009
【図９】
0005756705.tif 000010
【図１０】
0005756705.tif 000011
【図１１】
0005756705.tif 000012
【図１２】
0005756705.tif 000013
【図１３】
0005756705.tif 000014
【図１４】
0005756705.tif 000015
【図１５】
0005756705.tif 000016
【図１６】
0005756705.tif 000017
【図１７】
0005756705.tif 000018
【図１８】
0005756705.tif 000019
【図１９】
0005756705.tif 000020
【図２０】
0005756705.tif 000021
【図２１】
0005756705.tif 000022
【図２２】
0005756705.tif 000023
【図２３】
0005756705.tif 000024
【図２４】
0005756705.tif 000025
【図２５】
0005756705.tif 000026
【図２６】
0005756705.tif 000027
【図２７】
0005756705.tif 000028
【図２８】
0005756705.tif 000029